(57)【要約】【課題】ねじ込み式キャスターなどのように、横方向からしかも狭い場所などでもねじの締緩が簡単な構造で迅速かつ容易に行うことができるスパナを提供するものである。【解決手段】Ｌ型棒体の一方１２に回転可能な把持部１１を設け、これを回転ハンドル１とし、Ｌ型棒体の他方１３の一端に、ねじを締めつける回動軸２１が把持部１１と平行になるようにスパナ部２を付設したことを特徴とし、これにより横方向からしかも狭い場所などでも、従来のようにスパナを持ち替えることなく連続的に回動させることができ、ねじの締緩が迅速かつ容易に行うことができる。【選択図】図１
0003226589.tif 000002
【実用新案登録請求の範囲】
【請求項１】
ねじの締め付け具であって、Ｌ型棒体の一方に回転可能な把持部を設け回転ハンドルとし、前記Ｌ型棒体の他方の一端に、ねじを締めつける回動軸が前記把持部と平行になるようにスパナ部を付設したことを特徴とする回転ハンドル付きスパナ。
【請求項２】
前記スパナ部が二面幅の異なるスパナに交換可能な嵌合部を有することを特徴とする請求項１記載の回転ハンドル付きスパナ。
【請求項３】
前記Ｌ型棒体の一方に回転可能な前記把持部を設け回転ハンドルとし、前記Ｌ型棒体の他方に両口スパナを前記回動軸が前記把持部と平行になるように取り付けて構成されることを特徴とする回転ハンドル付きスパナ。
【考案の詳細な説明】
【技術分野】
【０００１】
本考案は、回転ハンドル付きスパナに関するものである。
【背景技術】
【０００２】
レンチ（wrench）やスパナ（open ended spanners）でボルトやナットなどを回すことによって、締め付けて固定しまたは緩めて外す作業（締緩作業）を行う際に、その締緩作業の行程が長い（締緩に多くの回動を要する）場合がある。
従来から、この回動をいかに楽に効果的に行うかという観点から種々の提案がなさている。例えば、特許文献１では、ねじ締め具の芯棒を筒内へ回転できるように挿通し、また芯棒の先端にハンドルを付設し、片方の手で筒を支えて残った手でハンドルを回すようにすることが提案されており、特許文献２では、Ｔ型ハンドルと握持筒を有する簡単な構造のねじ回し具が提案されている。また、フックボルトの締緩作業を容易にするためにハンドル構造を有す製品などもある。
【０００３】
しかし、これらは主にねじの縦方向から締め付けるためのハンドル構造を有しており、ねじ込み式キャスターなどのように、横方向からしかも狭い場所であってスパナで締緩作業をする必要のある場所には使用することができない。
【先行技術文献】
【特許文献】
【０００４】
【特許文献１】実開昭５８−１６０７７１号公報
【特許文献２】実開平３−３３０７２号公報
【特許文献３】実開昭６０−７４９５７号公報
【考案の概要】
【考案が解決しようとする課題】
【０００５】
本考案は、ねじ込み式キャスターなどのように、横方向からしかも狭い場所でもねじの締緩作業が迅速かつ容易に行うことができかつ簡単な構造のスパナを提供するものである。
【課題を解決するための手段】
【０００６】
請求項１の考案では、Ｌ型棒体の一方に回転可能な把持部を設け、これを回転ハンドルとし、前記Ｌ型棒体の他方の一端に、ねじを締めつける回動軸が前記把持部と平行になるようにスパナ部を付設している。これにより、横方向からしかも狭い場所でもねじの締緩作業が迅速かつ容易に行うことができる。更に、請求項２の考案では、サイズの異なるナットやボルトに対応できるように、スパナ部を二面幅の異なる他のスパナに交換できる形態としている。
【０００７】
また、請求項３の考案では、回転ハンドルのＬ型棒体に両口スパナを取り付ける構造とし、通常は両口スパナとして使用し必要に応じて組み立てて回転ハンドル付スパナとして使用できる形態としている。
【考案の効果】
【０００８】
本考案の回転ハンドル付スパナは、手で把持部を持って回転ハンドルでスパナ部を回動させると回動面が水平に保たれるとともに、把持部が回転するため、従来のようにスパナを持ち替えることなく連続的に回動させることができる。特に、ねじ込み式キャスターなどのように、横方向からしかも狭い場所でもねじの締緩作業が迅速かつ容易に行うことができる。
【図面の簡単な説明】
【０００９】
【図１】図１は本考案の実施例１の回転ハンドル付スパナの全体図であって、（ａ）は正面図、（ｂ）は平面図である。
【図２】図２は回転ハンドル付スパナでねじ込み式キャスターを取り付けるイメージ図である。
【図３】図３は本考案の実施例２の回転ハンドル付スパナの全体図であって、（ａ）は正面図、（ｂ）は平面図、（ｃ）はＡ−Ａ断面図である。
【図４】図４は本考案の実施例３の回転ハンドル付スパナの各構成部材を表したものである。
【図５】図５は本考案の実施例３の回転ハンドル付スパナの正面図である。
【考案を実施するための形態】
【００１０】
以下、本考案の実施形態について図面に基づいて説明する。
【実施例１】
【００１１】
図１は、本考案の回転ハンドル付スパナの全体的な形態を表したものであり、（ａ）は正面図を、（ｂ）は平面図を表している。本考案の回転ハンドル付スパナはＬ型棒体の一方１２にＬ型棒体の一方１２に対して回転自在な把持部１１を設け、これを回転ハンドル１とし、Ｌ型棒体の他方１３の一端に、ねじを締緩する回動軸２１が把持部１１と平行になるようにスパナ部２を付設した構造を有している。なお、Ｌ型棒体の他方１３は円柱体，多角柱体いずれであってもよい。
【００１２】
ねじの締緩作業は、把持部１１を手でにぎりスパナ部２をナットやボルトヘッドに嵌合させて、ナットやボルトヘッドを支点として、回動方向２２に回動させる。この時、把持部１１がＬ型棒体の一方１２に対して回転し、常に一定の方向を向くようになるので、手を持ち替えることなく連続して回動させることができる。また、本考案は基本的にはスパナであるので、ナットまたはボルトヘッドの横方向からしかも狭い場所でもねじの締緩作業が迅速かつ容易に行うことができる。
【００１３】
例えば、ねじ込み式キャスターの取り付け作業を次のように行うことができる。
図２は、本考案の回転ハンドル付スパナを使用して、ねじ込み式キャスターの取り付け作業を行う様子を表したイメージ図である。ねじ込み式の場合、ステム６２にねじが切ってあり直接ねじ込み取り付ける。図２のようにキャスター６を上にし、把持部１１を手でにぎりスパナ部２を横方向からボルトヘッド（六角部６１）に嵌合させて、回転ハンドル１をねじの締め付け方向に回動させると、六角部６１が支点となり回動面が水平に保たれ、かつ、上記したように把持部１１がＬ型棒体の一方１２に対して回転し、常に一定の方向を向くようになるので、手を持ち替えることなく連続してクルクルと六角部６１を回動させることができ、ねじの締め付けを迅速かつ容易に行うことができる。
【実施例２】
【００１４】
実施例２は、サイズの異なるナットやボルトに対応できるように、スパナ部を二面幅の異なる他のスパナに交換できる構造としたものである。
図３は、本実施例のスパナ部２が二面幅の異なるスパナに交換可能な嵌合部３を有する回転ハンドル付きスパナの全体的な形態を表したものであり、（ａ）は正面図、（ｂ）は平面図、（ｃ）はＡ−Ａ断面図を表している。本実施例では、図３に示すようにＬ型棒体の他方１３を円柱体としその先端部に四角柱体の凸部１４を付設し、スパナ部２に、凸部１４に嵌合する凹部３１を有する嵌合部３を設けている。ねじの締緩作業に必要な二面幅の付属スパナに交換し、ねじを締緩する回動軸２１が把持部１１と平行になるように嵌合させて取り付けることにより、サイズの異なるナットやボルトのねじの締緩作業が実施例１と同様に行うことができる。
【００１５】
なお、Ｌ型棒体の他方１３は本実施例では円柱体としているが多角柱体であってもよい。また、嵌合部３については、本実施例に示す他、付属具の交換に従来から用いられている構造とすることもできる。
【実施例３】
【００１６】
実施例３は、回転ハンドル１のＬ型棒体の他方１３に両口スパナ４を取り付けた構造を有する回転ハンドル付きスパナである。
図４は両口スパナを取り付ける前の各部材の状態を表し、図５は取り付け後の正面図を表している。本実施例では両口スパナ４の取り付けはねじ止めとしている。このため、Ｌ型棒体に透孔１５を、両口スパナ４には透孔４３を穿っている。二面幅の小さいスパナ４１を使用する場合は、回転ハンドル１のＬ型棒体の他方１３の先端が二面幅の小さいスパナ４１の方向になるように、かつ、ねじを締緩する回動軸２１が把持部１１と平行になるように小ねじ５３とナット５１でねじ止めする。二面幅の大きいスパナ４２を使用する場合は、回転ハンドル１のＬ型棒体の他方１３の先端が二面幅の大きいスパナ４２の方向になるように、かつ、ねじを締緩する回動軸２１が把持部１１と平行になるようにねじ止めする。これにより、サイズの異なるナットやボルトにも対応でき、ねじの締緩作業が実施例１と同様に行うことができる。
【００１７】
本実施例では、回転ハンドル１のＬ型棒体の他方１３に両口スパナ４を取り付けるのに最良の形態として、ねじ止めの場合を示したが、取り付けについてはバンドによるものなど回転ハンドル１が両口スパナ４に緊締に固定できまた取り外しが容易なものであればよい。
【符号の説明】
【００１８】
１    回転ハンドル
２    スパナ部
３    嵌合部
４    両口スパナ
５    取り付けねじ
６    キャスター
１１  把持部
１２  Ｌ型棒体の一方
１３  Ｌ型棒体の他方
１４  凸部
１５  棒体の透孔
２１  回動軸
２２  回動方向
３１  凹部
４１  二面幅の小さいスパナ
４２  二面幅の大きいスパナ
４３  両口スパナの透孔
５１  ナット
５２  ワッシャー
５３  小ねじ
６１  六角部
６２  ステム
【図１】
0003226589.tif 000003
【図２】
0003226589.tif 000004
【図３】
0003226589.tif 000005
【図４】
0003226589.tif 000006
【図５】
0003226589.tif 000007
【手続補正書】
【提出日】令和2年4月13日(2020.4.13)
【手続補正１】
【補正対象書類名】実用新案登録請求の範囲
【補正対象項目名】請求項３
【補正方法】変更
【補正の内容】
【請求項３】
ねじの締め付け具であって、Ｌ型棒体の一方に回転可能な把持部を設け回転ハンドルとし、前記Ｌ型棒体の他方に両口スパナをねじを締めつける回動軸が前記把持部と平行になるように取り付けて構成されることを特徴とする回転ハンドル付きスパナ。